(57)【要約】【課題】光を透過しないお絵描き媒体にも簡単に描画できるお絵描き玩具を提供すること。【解決手段】  光源からの光でフィルムを照明し、前記フィルムに担持された画像に対応する光像を紙等のお絵描き媒体上に投影するように構成されたお絵描き玩具であって、前記お絵描き媒体を載置するための基体と、前記光源及び前記フィルムが設置され前記基体に対して起立する起立部材とを備え、斜め上方から前記光像を前記お絵描き媒体に投影するように構成されていることを特徴とする。【選択図】図１
2006006391.tif 000002
【特許請求の範囲】
【請求項１】
光源からの光でフィルムを照明し、前記フィルムに担持された画像に対応する光像を紙等のお絵描き媒体上に投影するように構成されたお絵描き玩具であって、前記お絵描き媒体を載置するための基体と、前記光源及び前記フィルムが設置され前記基体に対して起立する起立部材とを備え、斜め上方から前記光像を前記お絵描き媒体に投影するように構成されていることを特徴とするお絵描き玩具。
【請求項２】
前記基体には前記起立部材が折畳み自在に取り付けられ、全体としてノート型に構成されていることを特徴とする請求項１に記載のお絵描き玩具。
【請求項３】
前記起立部材には下側から順に前記光源と前記フィルムとが設置され、前記光像を前記フィルムの上方に配置されたミラーを介して前記お絵描き媒体に投影するように構成されていることを特徴とする請求項２に記載のお絵描き玩具。
【請求項４】
前記フィルムは着脱自在に前記起立部材に設置され、他のフィルムと交換可能となっていることを特徴とする請求項１から３いずれか一に記載のお絵描き玩具。
【請求項５】
前記フィルムはフレームに保持されており、そのフレーム付きフィルムを前記起立部材に設置できるように構成されていることを特徴とする請求項４に記載のお絵描き玩具。
【請求項６】
前記起立部材には投影レンズが設置され、操作子によって前記投影レンズを光軸方向に移動させることによってピント調節ができるように構成されていることを特徴とする請求項１から５いずれか一に記載のお絵描き玩具。
【発明の詳細な説明】
【技術分野】
【０００１】
本発明はお絵描き玩具に関する。
【背景技術】
【０００２】
お絵描き玩具の類として絵画案内画板が知られている。この絵画案内画板は、絵画や文字を描く用紙の裏面より光を当て用紙に意図した構図を浮き上がらせるように構成したものである。（特許文献１）
【特許文献１】特開平１１−２０２７５８号公報
【発明の開示】
【発明が解決しようとする課題】
【０００３】
しかしながら、用紙の裏面より光を当てるものでは、用紙が光透過性のものしか使用できないという問題がある。すなわち、用紙がハガキのように光を透過しないものでは使用できない。また、直下にある絵画や文字等の画像を描写するものであるため、等倍の絵画や文字しか描写できないという問題がある。
本発明は、かかる点に鑑みなされたものであり、光を透過しないお絵描き媒体にも簡単に描画できるお絵描き玩具を提供することを目的としている。
【課題を解決するための手段】
【０００４】
請求項１に記載のお絵描き玩具は、光源からの光でフィルムを照明し、前記フィルムに担持された画像に対応する光像を紙等のお絵描き媒体上に投影するように構成されたお絵描き玩具であって、前記お絵描き媒体を載置するための基体と、前記光源及び前記フィルムが設置され前記基体に対して起立する起立部材とを備え、斜め上方から前記光像を前記お絵描き媒体に投影するように構成されていることを特徴とする。お絵描き媒体としては紙、布、プラスチックフィルム等が使用できる。それらは光透過性のものであると光遮断性のものであるとを問わない。また、フィルムはカラーフィルムであると白黒フィルムであるとわ問わない。また、フィルムはポジ型であるかネガ型であるかも問わない。目的に応じて選択すればよい。
【０００５】
請求項２に記載のお絵描き玩具は、請求項１に記載のお絵描き玩具において、前記基体には前記起立部材が折畳み自在に取り付けられ、全体としてノート型に構成されていることを特徴とする。この場合には、起立部材が蓋体として機能する。
【０００６】
請求項３に記載のお絵描き玩具は、請求項２に記載のお絵描き玩具において、前記起立部材には下側から順に前記光源と前記フィルムとが設置され、前記光像を前記フィルムの上方に配置されたミラーを介して前記お絵描き媒体に投影するように構成されていることを特徴とする。
【０００７】
請求項４に記載のお絵描き玩具は、請求項１から３いずれか一に記載のお絵描き玩具において、前記フィルムは着脱自在に前記起立部材に設置され、他のフィルムと交換可能となっていることを特徴とする。
【０００８】
請求項５に記載のお絵描き玩具は、請求項４に記載のお絵描き玩具において、前記フィルムはフレームに保持されており、そのフレーム付きフィルムを前記起立部材に設置できるように構成されていることを特徴とする。
【０００９】
請求項６に記載のお絵描き玩具は、請求項１から５いずれか一に記載のお絵描き玩具において、前記起立部材には投影レンズが設置され、操作子によって前記投影レンズを光軸方向に移動させることによってピント調節ができるように構成されていることを特徴とする。
【発明の効果】
【００１０】
請求項１に記載のお絵描き玩具によれば、斜め上方から光像をお絵描き媒体に投影するように構成されているので、その光像をなぞって線書きしたり色付けすれば簡単にお絵描きができることになる。また、お絵描き媒体とは光学的に離れた位置にある光像をお絵描き媒体に投影するように構成しているので、小さい画像であっても拡大してお絵描きすることができる。
【００１１】
請求項２に記載のお絵描き玩具によれば、全体としてノート型に構成されているので、かたづけや持ち運びが容易となる。
【００１２】
請求項３に記載のお絵描き玩具によれば、ミラーで光路を屈曲させているので、お絵描き媒体までの光路長を長く取れる一方で、起立部材の奥行き寸法を小さくすることができる。
【００１３】
請求項４に記載のお絵描き玩具によれば、フィルムの交換が可能なので、様々な画像を利用してお絵描きすることができる。
【００１４】
請求項５に記載のお絵描き玩具によれば、フレーム付きフィルムを用いているので、フィルムの交換が簡単に行えることになる。
【００１５】
請求項６に記載のお絵描き玩具によれば、ピント調節ができるので、厚さの異なるお絵描き媒体を使用する場合でもピント合わせした状態でお絵描きができることになる。
【発明を実施するための最良の形態】
【００１６】
１．玩具セットの全体構成
図１は本発明に係るお絵描き玩具セット斜視図である。このお絵描き玩具セット１は玩具本体（お絵描き玩具）２、フレーム付きフィルム３、色付け具４及び紙（お絵描き媒体）５を備えている。このお絵描き玩具セット１を使用することによって、フレーム付きフィルム３に担持されている画像に対応する絵を紙５に簡単に描くことができる。以下、このお絵描き玩具セット１の詳細を説明する。
【００１７】
２．細部構成
（１）フレーム付きフィルム
フレーム付きフィルム３はポジ型のカラーフィルム３１とフレーム３２から構成されている。すなわち、フレーム付きフィルム３はカラーフィルム３１を紙又はプラスチック製のフレーム３２に支持させた構造となっている。
なお、白黒の絵を描くのであれば、カラーフィルム３１であることは必要ない。絵を描く目的によってフィルムを代えることができる。
【００１８】
（２）玩具本体
Ａ．玩具本体の全体構成
玩具本体２は基体２１と起立部材２２を備えてなり、図２に示すように、全体としてノート型に構成されている。すなわち、図面上において、基体２の奥側に起立部材２２がヒンジ結合されている。例えば、基体２１及び起立部材２２にはそれぞれナックルが付設され、これらナックルには軸が通されて基体２の奥側に起立部材２２がヒンジ結合されている。そして、基体２１に対して起立部材２２が手前側に折り畳めるようになっている。
【００１９】
Ｂ．基体の構成
基体２１は上から見て矩形に構成されている。この基体２１の上面は平面となっており、そこには紙５が設置できるようになっている。
この基体２１の上面には、ばね力によって基体２１の上面との間で紙５を挟持して固定するクリップ２４が付設されている。
一方、基体２１の左右にはそれぞれ引出し２５が設けられている。一方の引出し２５にはフレーム付きフィルム３が収納され、他方の引出し２５には色付け具４が収納されている。特に、後者の引出し２５の内部には使用時に色付け具４を起立状態で保持するホルダ２５ａが設けられている。
また、基体２１の手前側には係止片２６が設けられている。この係止片２６は、基体２１に対して起立部材２２を折り畳んだ際に弾性によって起立部材２２の縁部に係合可能となっている。
【００２０】
（３）起立部材の構成
図２に示すように、起立部材２２の外面（基体２１に対して折り畳んだ際に上面となる面）にはフィルムセット用穴２２−１とピント調節ダイヤル２２−２が設けられている。起立部材２２の内部には、図３に示すように、フレーム付きフィルム３のフィルム３１を照明する照明手段６と、フィルム３１に担持された画像の光像を投影する投影手段７とが設けられている。
このうち照明手段６は、光源６１と、この光源６１からの光を集めてフィルム３１に向ける集光レンズ６２とから構成されている。この照明手段６によってフレーム付きフィルム３のフィルム３１が照明され、そのフィルムを透過した光によって光像が形成される。ここで光源６１としては発光ダイオードを使用することが好ましい。発光ダイオードの数は複数であってもよい。また、光源６１としては白色光を発光するものであることが好ましい。
一方、投影手段７は投影レンズ７１と全反射ミラー７２とから構成されている。この投影手段７によって前記光像が基体２１上に投影される。ここで、投影レンズ７１はピント調節ダイヤル２２−２の回転方向及び回転量に応じて光軸方向に移動できるようになっている。ピント調節ダイヤル２２−２によって投影レンズ７１を動作させる仕組みとして、例えばカム機構やねじ機構等が用いられる。すなわち、ピント調節ダイヤル２２−２の回動によってカム機構やねじ機構等を介してレンズ７１のホルダを動作させる。なお、ピント調節の方法はこれに限定されない。
また、起立部材２２の内面（基体２１に対して折り畳んだ際に下面となる面）には光の出射口２２−３が形成されている。そして、その出射口２２−３の内側に前記全反射ミラー７２が設置されている。
【００２１】
（４）色付け具
色付け具４としては水性ペン、油性ペン、色鉛筆、絵の具、色マジック等が使用できる。
【００２２】
（５）紙
紙５としては画像が投影できるものであればその種類を問わない。ハガキ等も使用できる。また、紙５に代えて布やプラスチックフィルム等のお絵描き媒体を設置してもよい。
【００２３】
（６）その他
玩具本体２には図示されていないが電源スイッチが設けられている。なお、電源スイッチは起立部材２２を起立させた際に自動的にＯＮされ、起立部材２２を折り畳んだ際に自動的にＯＦＦされるようにしてもよい。
【００２４】
３．お絵描き方法の一例
基体２１を片手で軽く押さえながら起立部材２２を起立させる。基体２１の上に紙５を設置する。その際、紙５をクリップ２４で固定しておく。フレーム付きフィルム３をフィルムセット用穴２２−１に挿入する。この状態で電源が投入されると、カラーフィルム３１に担持されている画像に対応する光像が紙５に投影される。この投影された光像をなぞって輪郭を書いたり色付けを行えば簡単にお絵描きを行うことができる。もちろん、投影される光像を見て楽しむだけでもよい。
【００２５】
４．変形例
以上、本発明の実施形態について説明したが、本発明は、かかる実施形態に限定されるものではなく、その要旨を逸脱しない範囲で種々変形可能であることはいうまでもない。
【００２６】
例えば、上記実施形態では起立部材２２は基体２１に対して折畳み自在に構成したが、起立部材２２と基体２１とを別体として使用時に組み立てるようにしてもよい。また、起立部材２２をテレスコープ式とし、使用時に上方に引き出せるような構造としてもよい。
【００２７】
また、基体２１に対する起立部材２２の起立角度を段階的或いは連続的に変更できるようにするか、投影レンズを複数設けて切り替えられるようにするか、ズームレンズを組み込むなどして、光像の大きさを変えられるようにしてもよい。
【００２８】
さらに、上記実施形態では画像を奥側斜め上方から紙５に投影するように構成したが、利き腕を考慮して、利き腕とは反対側の斜め上方から光像を紙５に投影するように構成してもよい。このようにすれば手の影が紙５に投影されることが少なくなる。
【図面の簡単な説明】
【００２９】
【図１】お絵描き玩具セットの斜視図である。
【図２】お絵描き玩具の斜視図である。
【図３】起立部材に設けられた光学系の構成図である。
【符号の説明】
【００３０】
１    お絵描き玩具セット
２    お絵描き玩具
３    フレーム付きフィルム
４    色付け具
５    紙
２１  基体
２２  起立部材
【図１】
2006006391.tif 000003
【図２】
2006006391.tif 000004
【図３】
2006006391.tif 000005